(57)【要約】      （修正有）【課題】手ブレを起こさずに、効果的な撮影が行える。【解決手段】被写体を照明する発光部と、被写体光を測光する測光部と、振れを検出する振れ検出部と、前記振れ検出部の出力に基づいて、固定状態にあるか否かを判定する固定状態判定部（Ｓ１０４）と、前記測光部からの前記被写体光が低輝度であって（Ｓ１０３：ＹＥＳ）、前記固定状態判定部が固定状態と判定した場合には（Ｓ１０４：ＹＥＳ）、前記発光部を発光させるとともに、シャッタスピードを遅く設定する制御部（Ｓ１０５）と、を備えた。【選択図】図２
2013057768.tif 000002
【特許請求の範囲】
【請求項１】
被写体を照明する発光部と、
被写体光を測光する測光部と、
振れを検出する振れ検出部と、
前記振れ検出部の出力に基づいて、固定状態にあるか否かを判定する固定状態判定部と、
前記測光部からの前記被写体光が低輝度であって、前記固定状態判定部が固定状態と判定した場合には、前記発光部を発光させるとともに、シャッタスピードを遅く設定する制御部と、
を備えた撮影用照明装置。
【請求項２】
請求項１に記載の撮影用照明装置において、
前記固定状態判定部は、前記振れ検出部からの振れの周波数に、所定値以上の高周波成分が含まれているか否かにより、固定状態を判定すること、
を特徴とする撮影用照明装置。
【請求項３】
請求項１又は請求項２に記載の撮影用照明装置において、
前記固定状態判定部は、三脚支持状態の判定を行うこと、
を特徴とする撮影用照明装置。
【請求項４】
請求項１から請求項３までのいずれか１項に記載の撮影用照明装置において、
前記振れ検出部からの出力に応じて、ブレ補正光学系を駆動制御して、撮影動作中のブレを補正するブレ補正装置を備え、
前記固定状態判定部は、前記ブレ補正装置で兼用すること、
を特徴とする撮影用照明装置。
【請求項５】
請求項１から請求項４までのいずれか１項に記載の撮影用照明装置において、
前記制御部は、発光モードをスローシンクロモードに設定すること、
を特徴とする撮影用照明装置。
【請求項６】
請求項１から請求項５までのいずれか１項に記載の撮影用照明装置において、
前記制御部は、背景の輝度に応じて適正露出になるようにシャッタスピードを合わせること、
を特徴とする撮影用照明装置。
【請求項７】
請求項１から請求項６までのいずれか１項に記載の撮影用照明装置を備えた撮影装置。
【発明の詳細な説明】
【技術分野】
【０００１】
本発明は、撮影用照明装置及び撮影装置に関するものである。
【背景技術】
【０００２】
従来のカメラは、被写体輝度に応じて、発光モードと露光時間を決定するものが知られている（特許文献１等）。
【先行技術文献】
【特許文献】
【０００３】
【特許文献１】特許第３３９７３８１号公報
【発明の概要】
【発明が解決しようとする課題】
【０００４】
しかし、前述した従来のカメラは、被写体輝度のみによって、ストロボの発光モードを決める方法であるので、スローシンクロモードに設定された際には、ブレてしまう可能性があった。
【０００５】
本発明の課題は、ブレの少ない効果的な撮影が行える撮影用照明装置及び撮影装置を提供することである。
【課題を解決するための手段】
【０００６】
前記課題を解決するために、請求項１の発明は、被写体を照明する発光部（１２）と、被写体光を測光する測光部（３）と、振れを検出する振れ検出部（１３）と、前記振れ検出部の出力に基づいて、固定状態にあるか否かを判定する固定状態判定部（Ｓ１０４）と、前記測光部からの前記被写体光が低輝度であって（Ｓ１０３：ＹＥＳ）、前記固定状態判定部が固定状態と判定した場合には（Ｓ１０４：ＹＥＳ）、前記発光部を発光させるとともに、シャッタスピードを遅く設定する制御部（Ｓ１０５）と、を備えた撮影用照明装置である。
請求項２の発明は、請求項１に記載の撮影用照明装置において、前記固定状態判定部は、前記振れ検出部からの振れの周波数に、所定値以上の高周波成分が含まれているか否かにより、固定状態を判定すること、を特徴とする撮影用照明装置である。
請求項３の発明は、請求項１又は請求項２に記載の撮影用照明装置において、前記固定状態判定部は、三脚支持状態の判定を行うこと、を特徴とする撮影用照明装置である。
請求項４の発明は、請求項１から請求項３までのいずれか１項に記載の撮影用照明装置において、前記振れ検出部からの出力に応じて、ブレ補正光学系を駆動制御して、撮影動作中のブレを補正するブレ補正装置を備え、前記固定状態判定部は、前記ブレ補正装置で兼用すること、を特徴とする撮影用照明装置である。
請求項５の発明は、請求項１から請求項４までのいずれか１項に記載の撮影用照明装置において、前記制御部は、発光モードをスローシンクロモードに設定すること、を特徴とする撮影用照明装置である。
請求項６の発明は、請求項１から請求項５までのいずれか１項に記載の撮影用照明装置において、前記制御部は、背景の輝度に応じて適正露出になるようにシャッタスピードを合わせること、を特徴とする撮影用照明装置である。
請求項７の発明は、請求項１から請求項６までのいずれか１項に記載の撮影用照明装置を備えた撮影装置である。
以上、理解を容易にするために、本発明の実施形態に対応する符号を付して説明したが、これに限定されるものではない。なお、符号を付して説明した構成は、適宜改良してもよく、また、少なくとも一部を他の構成に代替してもよい。
【発明の効果】
【０００７】
本発明によれば、手ブレを起こさずに、効果的な撮影が行える撮影用照明装置及び撮影装置を提供することができる。
【図面の簡単な説明】
【０００８】
【図１】本発明による撮影用照明装置の実施形態を適用した撮影装置の構成を示すブロック図である。
【図２】本発明による撮影用照明装置の実施形態を適用した撮影装置のＣＰＵの動作を示すフローチャートである。
【発明を実施するための形態】
【０００９】
以下、図面等を参照して、本発明の実施の形態について、さらに詳しく説明する。
図１は、本発明による撮影用照明装置の実施形態を適用した撮影装置の構成を示すブロック図である。
本実施形態の撮影装置は、撮影用照明装置（内蔵ストロボ）を持つカメラシステムであって、撮像光学系１と、撮像素子２と、測光センサ３と、ＡＦＥ（Ａｎａｌｏｇ  ｆｒｏｎｔ  ｅｎｄ）回路４と、画像処理部５と、バッファメモリ６と、記録インターフェイス（Ｉ／Ｆ）７と、モニタ８と、操作部材９と、メモリ１０と、ＣＰＵ１１と、ストロボ発光部１２と、撮像光学系（鏡筒）またはカメラボディに内蔵されている手ブレ補正装置（ブレ検出部含む）１３から構成されている。
【００１０】
撮像光学系１は、複数の光学レンズにより構成され、被写体像を撮像素子２と測光センサ３の受光面に結像させる。
【００１１】
撮像素子２は、受光面に受光素子が二次元的に配列されたＣＭＯＳイメージセンサなどによって構成される。撮像素子２は、撮像光学系１を通過した光束による被写体像を光電変換してアナログ画像信号を生成する。アナログ画像信号は、ＡＦＥ回路４に入力される。
【００１２】
測光センサ３は、撮像光学系１を通過した光束による被写体像を、光電変換してＣＰＵ１１へ入力する。
【００１３】
ＡＦＥ回路４は、アナログ画像信号に対するゲイン調整（ＩＳＯ感度に応じて信号増幅）を行う回路である。具体的には、ＣＰＵ１１からの感度設定指示に応じて、撮像感度を所定範囲内で変更する。ＡＦＥ回路４は、さらに、内蔵するＡ／Ｄ変換回路によってアナログ処理後の画像信号をデジタルデータに変換する。そのデジタルデータは、画像処理部５に入力される。
【００１４】
画像処理部５は、デジタル画像データに対して、補間、輪郭強調、ノイズリダクションなどの画像処理を行う。
【００１５】
バッファメモリ６は、画像処理部５による画像処理の前工程や後工程での画像データを一時的に記録する。
【００１６】
記録インターフェイス７は、不図示のコネクタを有し、そのコネクタにメモリカード（記録媒体）１４が接続され、接続されたメモリカード１４に対して、データの書き込みや、メモリカード１４からのデータの読み込みを行う。
【００１７】
モニタ８は、液晶パネルによって構成され、ＣＰＵ１１からの指示に応じて画像や操作メニューなどを表示する。
【００１８】
操作部材９は、モードダイヤル、十字キー、決定ボタンやレリーズボタンを示し、各操作に応じた操作信号をＣＰＵ１１へ送出する。
【００１９】
ＣＰＵ１１は、不図示のＲＯＭに格納されたプログラムを実行することによって、カメラシステムが行う動作を統括的に制御する。例えば、ＡＦ（オートフォーカス）動作制御、ＡＥ（自動露出）動作制御、オートホワイトバランス制御、ストロボ発光制御、顔認識などを行う。また、後述する測光センサ３からの信号を用いて逆光判定（ポップアップ判定）も行う。
【００２０】
ストロボ１２は、ＣＰＵ１１からの指示に応じて事前に演算された発光量で発光する。また、自動でポップアップをする機能も有する。
【００２１】
手ブレ補正装置（ブレ検出部を含む）１３は、撮像光学系（鏡筒）１又はカメラボディに内蔵されており、撮影時に振動が生じた場合に、撮像光学系１の一部に含まれるレンズ等のブレ補正光学系を、この振動に起因するブレが低減する方向に変位させるものである。手ブレ補正装置１３は、複数の角速度センサの出力からブレ補正量を算出する。
【００２２】
つぎに、本実施形態による内蔵ストロボを持つカメラシステムの動作を説明する。
図２は、本発明による撮影用照明装置の実施形態を適用した撮影装置のＣＰＵの動作を示すフローチャートである。
本実施形態は、オート撮影モードの夜景シーンなどで、低輝度環境下でストロボが自動的に発光する制御が可能なカメラが使用されている。
【００２３】
カメラの電源投入後、撮影者によりレリーズボタンが半押される（Ｓ１０１）と、測光センサ３による測光演算、手ブレ補正装置１３によるブレ補正演算、ＣＰＵ１１内のオートフォーカスシステムによるＡＦ演算等が行われる（Ｓ１０２）。
【００２４】
撮影時の発光モードを決定するために、まず、測光演算によってストロボ発光を行うか否かの発光判定が行われる。具体的には、測が自動光算結果と、事前にカメラのＲＯＭ内に設定された低輝度閾値とを比較し（Ｓ１０３）、閾値以下の場合（Ｓ１０３：ＹＥＳ）には、発光を行うこととする。閾値を超える場合（Ｓ１０３：ＮＯ）には、ストロボ発光を行わず（Ｓ１０９）、対応するプログラム線図を設定したのち（Ｓ１１０）、撮影者のレリーズ押下（Ｓ１１１）の操作によって、可動式ミラーを備える一眼レフカメラの場合は、ミラーアップが行われ、シャッタが開き、露光動作（Ｓ１１２）が開始され、撮影終了となる。
【００２５】
発光指示になると、次に手ブレ補正装置の角速度センサの出力データを使用して、三脚等の固定装置によって固定状態で支持されているか否かを判定する（Ｓ１０４）。三脚支持時は、手持ち撮影時とは異なった周波数帯域（例えば、１００Ｈｚ前後の高周波帯域）の振動が発生するので、三脚支持の判定が行われる（例えば、本件出願人の提案による特開２００６−８４５４０に詳しく説明されている）。三脚支持と判定された場合（Ｓ１０４：ＹＥＳ）には、発光モードは、低速でのシャッタスピード撮影が可能なスローシンクロに設定され（Ｓ１０５）、三脚不支持（＝手持ち撮影）と判定された場合（Ｓ１０４：ＮＯ）には、発光モードは、通常のシャッタスピードである通常シンクロに設定される（Ｓ１０７）。
ここでスローシンクロとは、フラッシュの光で主要な被写体を明るく写すだけでなく、背景などフラッシュの光だけでは明るく写すことのできない被写体を、スローシャッタ（通常のシャッタスピードより遅くすること）によって、適正露出に設定するものである。
さらに、各モードで最適なプログラム線図が決定される（Ｓ１０６、Ｓ１０８）。撮影者によって、レリーズ押下（Ｓ１１１）の操作がされると、露光動作（Ｓ１１２）が行われ、撮影完了となる。
【００２６】
オート撮影モードは、手持ち撮影がメインであると仮定されており、手ブレや被写体ブレの観点から、通常シャッタスピードの低速限界は、１／３０〜１／６０秒に固定されている。ストロボのシンクロモードは通常シンクロに設定されている。主要被写体と背景が近い状況下では、通常シンクロによる発光で主要被写体も背景も適正露出となるが、主要被写体と背景が離れている場合は、背景までストロボ光が届かず、シャッタスピードも１／３０〜１／６０秒より遅くならないために、夜景人物撮影などで背景が適正露出よりも暗くなってしまう。
近年のデジタルスチルカメラは、撮像素子や撮影後の画像処理でゲインを上げることによって、背景が暗くならないような処理を行うケースも多いが、ゲインを上げることによって高感度ノイズが増大するデメリットも生じる。
また、例えば観覧車などの動的な被写体が背景になる場合には、スローシンクロにすることで光が尾を引く芸術性の高い写真に仕上げることができるが、初心者にとってはハードルの高い撮影テクニックである。スローシンクロは、感度を上げずシャッタスピードを長くすることで高感度ノイズによる画質の劣化が最低限に抑えられ高画質が得られるが、手ブレを起こしやすい。
【００２７】
本実施形態では、以上のようなことから、手持ち時は通常シンクロ（＋高感度）、三脚使用時はスローシンクロと使い分けることによって、最良の画像を得ることができる、という効果がある。
ブレ補正装置（ブレ検出部を含む）を搭載したカメラ又はレンズ鏡筒では、三脚支持の判定を、そのブレ補正装置で行えるので、新たな装置を追加せずに、本発明を実施できる。
また、従来のように被写体の輝度のみによってストロボの発光モードを決定していないため、照明光により被写体輝度が明くなり、スローシンクロで撮影されなくなる問題がなくなる。
また、三脚を使用することにより、スローシンクロで撮影した際、手振れせず撮影を行うことに慣れていない撮影者であっても容易に動的な効果を持った写真を撮影することができる。
【００２８】
（変形形態）
以上説明した実施形態に限定されることなく、種々の変形や変更が可能であって、それらも本発明の技術的範囲内である。
（１）ストロボは、内蔵ストロボの例で説明したが、外付けのストロボであってもよい。
（２）測光素子により被写体輝度を検出する例で説明したが、撮像素子で行うようにしてもよい。つまり、ファインダ撮影、スルー画撮影のどちらでも、本発明を実施可能である。
（３）デジタル一眼レフカメラを例に説明したが、コンパクトデジタルカメラやフィルムカメラにも適用することができる。
（４）固定状態とは、三脚支持に限らず、一脚支持や、台の上に置いて撮影する場合であってもよい。
（５）三脚支持と判定された場合には、スローシンクロモードの設定を固定のシャッタスピード、もしくは背景の輝度が適正露出になるようにシャッタスピードを合わせるようにしてもよい。
（６）発光部は、ストロボ発光部の例で説明したが、ＬＥＤ照明であってもよい。
【符号の説明】
【００２９】
１：撮像光学系、２：撮像素子、３：測光センサ、４：ＡＦＥ回路、５：画像処理部、６：バッファメモリ、７：記録インターフェイス、８：モニタ、９：操作部材、１０：メモリ、１１：ＣＰＵ、１２：ストロボ、１３：手ブレ補正装置
【図１】
2013057768.tif 000003
【図２】
2013057768.tif 000004